(57)【特許請求の範囲】
【請求項１】
容器を挿入可能な口部を有して当該口部を通して前記容器が収納される外容器と、内容物の充填空間を形成する変形可能な薄肉の内層体を有し当該内層体が外層体の内側に剥離可能に連結された内容器と、外容器の口部が着脱可能に取り付けられる外容器用装着部と内容器の口部が着脱可能に取り付けられる内容器用装着部とを有するキャップと、当該キャップの裏面に固定されるシリンダを有し押圧ヘッドの押し込み及び復元の繰り返しにより内容物を外界に噴射させるポンプユニットと、内容器の口部に全周に亘って嵌合保持される嵌合部を有して当該嵌合部の内周側を前記充填空間に向かって垂下させることで当該充填空間にパイプを介して通じる前記シリンダの収納空間が形成されたアダプタを備え、
シリンダの本体の先端に吸入口を形作る吸入筒を設ける一方、
前記アダプタの本体の先端に、前記吸入筒を全周に亘って取り囲む筒状部を設け、当該筒状部の内周面によって、前記吸入筒の外周面を全周に亘って密封状態に保持すると共に、
前記アダプタの本体の先端と、シリンダの本体の先端との間に軸線方向に沿って間隔を設け、アダプタの本体とシリンダの本体との間に隙間を設けたことを特徴とするポンプ付き二重容器。
【請求項２】
請求項１において、アダプタの本体の内周面と、シリンダの本体の外周面との間に全周に亘って隙間を設け、アダプタの本体の先端に繋がる先端側内周面とシリンダの本体の先端に繋がる先端側外周面とを全周に亘って密封状態に保持するシール面としたことを特徴とするポンプ付き二重容器。
【発明の詳細な説明】
【技術分野】
【０００１】
本発明は、外容器の内側に配置された内容器の口部に、内容器の充填空間に通じるアダプタを設け、このアダプタに、キャップに固定されたポンプユニットのシリンダを収納することで、内容器に充填された内容物をポンプ操作によって噴射可能なポンプ付き二重容器に関するものである。
【背景技術】
【０００２】
こうしたポンプ付き二重容器としては、例えば、アダプタを中栓として、その上下端の開口部をシールすることで、内容器の交換を可能にしたものが開示されている（例えば、特許文献１参照）。
【先行技術文献】
【特許文献】
【０００３】
【特許文献１】特開２００３−２９２０７３号公報
【発明の概要】
【発明が解決しようとする課題】
【０００４】
しかしながら、こうした従来のポンプ付き二重容器は、ポンプユニットをアダプタ内に形成された収納空間に載置するにすぎないため、使用後に内容器からポンプユニットを取り外したとき、ポンプシリンダに内容物が付着することがあった。こうしたポンプシリンダに対する内容物の付着は、ポンプユニットの取り外しの際に周囲を汚す原因となる。
【０００５】
これに対し、ポンプシリンダとアダプタとの間に、パッキン等のシール材を設ければ、ポンプシリンダとアダプタとの間のシール性（密封性）が確保されるため、内容物がポンプシリンダとアダプタとの間の隙間を通してアダプタ内に形成された収納空間に流入することで、ポンプシリンダに付着することを防止することができる。
【０００６】
ところが、こうしたシール材は、その弾性変形（押し潰し）によってシール性（密封性）を確保するものであることから、使用者がキャップをしっかりと締め込ないと、使用中にポンプシリンダとアダプタとの間を通して内容器内に空気が入り込むことがある。即ち、ポンプシリンダとアダプタとの間をシール材で密封する場合、そのシール性は、使用者によるキャップの締め込み具合等によって異なり、常に一定のシール性を確保することが困難であった。
【０００７】
一方、内容物を充填する容器としては、内容物の充填空間を形成する変形可能な薄肉の内層体を有し当該内層体が外層体の口部の内側に剥離可能に連結された容器、いわゆる、デラミネーション容器（剥離容器）が挙げられる。デラミネーション容器は、内容物の取り出しに合わせて内層体が減容することで、内容物を効率的に取り出せることができる。
【０００８】
本発明の目的とするところは、ポンプユニットのシリンダを内容器の口部に設けたアダプタに容易に密封保持することができることで、内容器として採用されたデラミネーション容器の機能を有効に発揮させることでき、しかも、シリンダとアダプタとの間の密封性にバラつきを生じ難い、新規なポンプ付き二重容器を提供することにある。
【課題を解決するための手段】
【０００９】
本発明のポンプ付き二重容器は、容器を挿入可能な口部を有して当該口部を通して前記容器が収納される外容器と、内容物の充填空間を形成する変形可能な薄肉の内層体を有し当該内層体が外層体の口部の内側に剥離可能に連結された内容器と、外容器の口部が着脱可能に取り付けられる外容器用装着部と内容器の口部が着脱可能に取り付けられる内容器用装着部とを有するキャップと、当該キャップの裏面に固定されるシリンダを有し押圧ヘッドの押し込み及び復元の繰り返しにより内容物を外界に噴射させるポンプユニットと、内容器の口部に全周に亘って嵌合保持される嵌合部を有して当該嵌合部の内周側を前記充填空間に向かって垂下させることで当該充填空間にパイプを介して通じる前記シリンダの収納空間が形成されたアダプタを備え、シリンダの本体の先端に吸入口を形作る吸入筒を設ける一方、前記アダプタの本体の先端に、前記吸入筒を全周に亘って取り囲む筒状部を設け、当該筒状部の内周面によって、前記吸入筒の外周面を全周に亘って密封状態に保持すると共に、前記アダプタの本体の先端と、シリンダの本体の先端との間に軸線方向に沿って間隔を設け、アダプタの本体とシリンダの本体との間に隙間を設けたことを特徴とするものである。
【００１０】
本発明では、アダプタの本体の内周面と、シリンダの本体の外周面との間に全周に亘って隙間を設け、アダプタの本体の先端に繋がる先端側内周面とシリンダの本体の先端に繋がる先端側内周面とを全周に亘って密封状態に保持するシール面とすることができる。
【発明の効果】
【００１１】
本発明では、アダプタの本体の先端に、ポンプユニットのシリンダの本体の先端に設けた吸入筒を全周に亘って取り囲む筒状部を設け、この筒状部の内周面によって、シリンダの吸入筒の外周面を全周に亘って密封状態に保持することから、内容器に充填された内容物が、アダプタとシリンダとの間を通って流入することを阻止することができる。このため、シリンダに内容物が付着することで生じる汚れは極力抑えられる。
【００１２】
また、本発明では、アダプタの本体の先端に設けた筒状部の内周面によって、シリンダの吸入筒の外周面が全周に亘って密封状態に保持されるため、使用者は、パッキン等の、弾性変形（押し潰し）を要するシール材を設けることなく、シリンダとアダプタとの間を密封することができる。このため、使用者は、シール材の押し潰しに要する大きな力を働かせることなく、シリンダの吸入筒をアダプタの筒状部の内側に嵌合させるだけの簡単な作業で、シリンダとアダプタとの間を密封することができる。
【００１３】
また、本発明では、アダプタの本体の先端に設けた筒状部の内周面によって、シリンダの吸入筒の外周面が全周に亘って密封状態に保持されるため、シリンダとアダプタとの接触面積が減少する分、アダプタの本体の先端と、シリンダの本体の先端との間に軸線方向に沿って間隔を設け、アダプタの本体とシリンダの本体との間に隙間を形成することで、使用者は、更に小さな力で、シリンダの吸入筒をアダプタの筒状部の内側に嵌合させることができる。
【００１４】
従って、本発明によれば、ポンプユニットのシリンダを内容器の口部に設けたアダプタに容易に密封保持することができることで、内容器として採用されたデラミネーション容器の機能を有効に発揮させることでき、しかも、シリンダとアダプタとの間の密封性にバラつきを生じ難い、新規なポンプ付き二重容器を提供することができる。
【図面の簡単な説明】
【００１５】
【図１】本発明である、ポンプ付き二重容器の一形態である、ポンプ付き二重ボトルを一部断面で示す側面図である。
【図２】(a)は、図１に示すＸ部の拡大図であり、(b)は、(a)のＥ−Ｅ断面図である。
【図３】図１の要部拡大図である。
【図４】図３に示すＹ部の拡大図である。
【図５】図３に示すＺ部の拡大図である。
【発明を実施するための形態】
【００１６】
以下、図面を参照して、本発明の一形態である、ポンプ付き二重ボトル１を詳細に説明する。
【００１７】
図１にて、符号２は、後述の内容器３を挿入可能な口部２ａを有して当該口部２ａを通して内容器３が収納される外容器である。外容器２は、口部２ａと共に一体に成形された胴部２ｂ及び底部２ｃを有し、その内側に、内容器３の収納空間Ｒ1が形成されている。
【００１８】
内容器３は、内層体４と外層体５とからなるデラミネーション容器（剥離容器）である。内層体４は、口部４ａと共に薄肉の胴部４ｂ及び底部４ｃが一体に成形された変形可能な薄肉（例えば、袋状）のボトル形容器である。内層体４は、その内側に、口部４ａを通して外界に通じる内容液の充填空間Ｒ2が形成されている。
【００１９】
一方、外層体５も、口部５ａ、胴部５ｂおよび底部５ｃが一体に成形されたボトル形の容器である。外層体５の内側には、図１の実線で示すように、内層体４が密着した状態で配置されている。外層体５の口部５ａには、内層体４の口部４ａが一体に連結されている。これにより、内層体４は、外層体５の内側に剥離可能に連結されている。更に、内層体４の底部４ｃも、図２(b)に示すように、外層体５の底部５ｃにピンチラインＬを形成する２つの挟み込み部分５Ｌで挟持されている。これにより、挟み込み部分５Ｌが内層体４の底部４ｃから離間することで、当該底部４ｃとの間に開口部が形成されると、この開口部を通して、図２(b)の矢印に示すように、内層体４と外層体５との間に外気を導入することができる。
【００２０】
図１の符号６は、外容器２と内容器３とを一体に保持するキャップである。キャップ６は、環状の外容器用装着部６ａと、この外容器用装着部６ａの内側に同心配置された環状の内容器用装着部６ｂを有し、環状の天壁６ｃと共に一体に成形されている。なお、キャップ６には、オーバーキャップ１４が着脱可能に嵌合する。
【００２１】
外容器用装着部６ａは、図３に示すように、外容器２の口部２ａに設けた雌ねじ部２ｄと螺合する雄ねじ部４ｄ2を有する。これにより、外容器用装着部６ａには、外容器２の口部２ａが着脱可能に取り付けられる。また、内容器用装着部６ｂは、図３に示すように、内容器３の口部（外層体口部）５ａに設けた雄ねじ部５ｄと螺合する雌ねじ部４ｄ3を有する。これにより、内容器用装着部６ｂには、内容器３の外層体口部５ａが着脱可能に取り付けられる。
【００２２】
符号７は、内層体４に充填された内溶液を外界に噴射させるためのポンプユニットである。ポンプユニット７は、図１等に一部断面で示すシリンダ８を有する。シリンダ８は、図３に示すように、内溶液の充填空間Ｒ3を形成する本体８ｂを有し、この本体８ｂの先端（以下、「シリンダ本体先端」）８ｂ2には吸入口Ａ8を形作る吸入筒８ａが一体に設けられている。これにより、充填空間Ｒ3には、吸入口Ａ8を通して内溶液が充填される。
【００２３】
また、シリンダ８には、フランジ９が一体に設けられている。これにより、シリンダ８は、図４に示すように、フランジ９をキャップ６の裏面に設けた突起６ｐに引っ掛けて係止することで、キャップ６の裏面に固定される。
【００２４】
図１において、符号１０は、シリンダ８内に配置された図示せぬピストンとステムＳを介して繋がる押圧ヘッドである。これにより、ポンプユニット７は、既存のポンプと同様、押圧ヘッド１０の押し込み及び復元の繰り返しにより、シリンダ８内に吸入された内容液を外界に噴射させる。なお、押圧ヘッド１０は、ヘッド本体１０ａに設けたノズル本体１０ｂに噴射孔を形成し、この噴射孔をノズルピン１０ｃによって押圧ヘッド１０の押し込み及び復元に合せて開閉するように構成したものである。但し、本発明に従えば、押圧ヘッド１０は、ノズルピン１０ｃを設けることなく、ヘッド本体１０ａに噴射孔を形成したもの等、その構成は問わない。
【００２５】
符号１１は、内容器３にポンプシリンダ８を装着するためのアダプタである。アダプタ１１は、図３に示すように、シリンダ８の本体（以下、「シリンダ本体」）８ｂの収納空間Ｒ4を形成する本体（以下、「アダプタ本体」）１１ｂを有する。アダプタ本体１１ｂは、外層体口部５ａに全周に亘って嵌合保持される嵌合部１１ｂ1を有する。
【００２６】
嵌合部１１ｂ1は、図４に示すように、内層体口部４ａの上端（内層体口部上端）４ｅに接する上端１１ｂ11を有し、その外周側１１ｂ12が内層体口部上端４ｅを巻き込んでいる。更に、外周側１１ｂ12には、内向き突起１１ｐが一体に設けられている。この内向き突起１１ｐは、外層体口部５ａに設けた外向き突起５ｐに引っ掛けて係止することで、アダプタ１１を内容器３の口部（外層体口部５ａ）に固定する。
【００２７】
また、嵌合部１１ｂ1は、図４に示すように、上端１１ｂ11の内周側１１ｂ13が内容器３の充填空間Ｒ2に向かって垂下することで、シリンダ８の収納空間Ｒ4を形成する。また、上端１１ｂ11の内周側１１ｂ13は、図４に示すように、口部３ａの内周面と接することで、外周側１１ｂ12と共に内容器３の口部（４ａ，５ａ）を挟持する。
【００２８】
図１に示すように、アダプタ本体１１ｂの先端（以下、「アダプタ本体先端」）１１ｂ2には、充填空間Ｒ2を収納空間Ｒ4に通じさせる筒状部１１ａが一体に設けられている。筒状部１１ａは、図３に示すように、その内側に開口部Ａ11を形作る環状壁１１ａ1が一体に設けられている。これにより、筒状部１１ａは、図５に示すように、環状壁１１ａ1よりも先端の部分１１ａ2では、その内側で内容器３の充填空間Ｒ2に配置されるパイプ１２を嵌合保持している。
【００２９】
上述のように、パイプ１２をアダプタ１１で保持すれば、内溶液を使い切った後に、ポンプユニット（ディスペンサー）７を取り外そうとすると、萎んだ内容器３の内層体（内袋）４に取られて抜けてしまう事がない。なお、パイプ１２の吸入口側には、フィルタ１３が装着されているが、フィルタ１３は、省略することができる。
【００３０】
これに対し、環状壁１１ａ1よりもアダプタ本体先端１１ｂ2側の部分１１ａ3は、図３に示すように、シリンダ８の吸入筒８ａを全周に亘って取り囲んでいる。更に、アダプタ本体先端１１ｂ2側の部分（以下、「筒状部」と総称）１１ａ3は、図５に示すように、その内周面１１ｆ1によって、吸入筒８ａの外周面８ｆ1を全周に亘って密封状態に保持する。これにより、内層体４に充填された内溶液は、押圧ヘッド１０の押し込み及び復元の繰り返しにより、筒状部１１ａの内側に形成された開口部Ａ11からシリンダ８の吸入口Ａ8を通して充填空間Ｒ3に導入される。
【００３１】
このように、本形態では、アダプタ本体先端１１ｂ2に、ポンプユニット７のシリンダ本体先端８ｂ2に設けた吸入筒８ａを全周に亘って取り囲む筒状部１１ａ3を設け、この筒状部１１ａ3の内周面１１ｆ1によって、シリンダ８の吸入筒８ａの外周面８ｆ1を全周に亘って密封状態に保持することから、内層体４に充填された内容液が、アダプタ１１とシリンダ８との間を通って流入することを阻止することができる。このため、シリンダ８に内容液が付着することで生じる汚れは極力抑えられる。
【００３２】
また、本形態では、アダプタ本体先端１１ｂ2に設けた筒状部１１ａ3の内周面１１ｆ1によって、シリンダ８の吸入筒８ａの外周面８ｆ1が全周に亘って密封状態に保持されるため、使用者は、パッキン等の、弾性変形（押し潰し）を要するシール材を設けることなく、シリンダ８とアダプタ１１との間を密封することができる。このため、使用者は、シール材の押し潰しに要する大きな力を働かせることなく、シリンダ８の吸入筒８ａをアダプタ１１の筒状部１１ａ3の内側に嵌合させるだけの簡単な作業で、シリンダ８とアダプタ１１との間を密封することができる。
【００３３】
更に、本形態では、筒状部１１ａ3の内周面１１ｆ1によって、吸入筒８ａの外周面８ｆ1が全周に亘って密封状態に保持されるため、図５に示すように、アダプタ本体先端１１ｂ2と、シリンダ本体先端１１ｂ2との間に軸線Ｏ方向に沿って間隔Ｄ1を設け、アダプタ本体１１ｂとシリンダ本体８ｂとの間に隙間Ｃ1を形成している。これにより、使用者は、シリンダ８とアダプタ１１との接触面積が減少する分、更に小さな力で、シリンダ８の吸入筒８ａをアダプタ１１の筒状部１１ａ3の内側に嵌合させることができる。
【００３４】
従って、本形態によれば、ポンプユニット７のシリンダ８を内容器３の口部（内層体口部４ａ，外層体口部５ａ）に設けたアダプタ１１に容易に密封保持することができることで、内容器３として採用されたデラミネーション容器の機能を有効に発揮させることでき、しかも、シリンダ８とアダプタ１１との間の密封性にバラつきを生じ難い、新規なポンプ付き二重ボトルを提供することができる。
【００３５】
なお、内容液を充填済みの内層体３を充填品として何らかの方法でシールして輸送し、その後、別途、ポンプユニット７を差し込んで使用する場合、ポンプユニット７を差し込んだ時に液溢れを起こすことがある。これは、内容液の粘度が高く流動性が低いため、内層体３を横倒しに搬送すると、液線がすぐには水平にならないことが原因であると考えられる。
【００３６】
これに対し、本発明では、上述のように、ポンプユニット７のシリンダ８を内容器３の口部に設けたアダプタ１１に容易に密封保持することができるため、上述のような液溢れの防止に有効である。
【００３７】
また、本形態では、図１に示すように、アダプタ本体１１ｂの内周面と、シリンダ本体８ｂの外周面との間に全周に亘って隙間Ｃ2が設けられている。加えて、本形態では、図５に示すように、アダプタ本体先端１１ｂ2に繋がる先端側内周面１１ｆ2とシリンダ本体先端８ｂ2に繋がる先端側外周面８ｆ2とをそれぞれ、互いに全周に亘って密封状態に保持するシール面として構成している。
【００３８】
かかる構成によれば、使用者がシリンダ８の吸入筒８ａをアダプタ１１の筒状部１１ａ3の内側に嵌合させるに際して必要となる力の増加を抑えつつ、シリンダ８とアダプタ１１との間の密封性にバラつきを生じ難い、更に密封性に優れたポンプ付き二重ボトルを提供することができる。
【００３９】
なお、本形態では、図５に示すように、アダプタ本体先端１１ｂ2に繋がる周壁部１１ｂ3の内周面（以下、「先端側内周面」）１１ｆ2と、シリンダ本体先端８ｂ2に繋がる周壁部８ｂ3のうち、シリンダ本体先端８ｂ2側を周方向に全周に亘って切り欠いてなる環状凹部８ｂ4の外周面（以下、「先端側外周面」）８ｆ2とを、互いに全周に亘って密封状態に保持するシール面として構成している。但し、本発明に従えば、これに限定されるものではなく、例えば、環状凹部８ｂ4を形成することなく、拡径部８ｂ2の外周面を直接、先端側外周面８ｆ2とすることも可能である。
【００４０】
更に、本形態では、図５に示すように、アダプタ本体１１ｂの先端側内周面１１ｆ2に、シリンダ本体８ｂの先端側外周面８ｆ2に設けた凹部ｎと着脱可能に嵌合する凸部Ｐが設けられている。かかる構成によれば、凸部Ｐを凹部ｎに嵌合させたときの感覚により、筒状部１１ａ3の内周面１１ｆ1によって、吸入筒８ａの外周面８ｆ1を全周に亘って密封状態に保持されているかどうかを確認することができる。
【００４１】
上述したところは、本発明の一形態を示したにすぎず、本発明に従えば、種々の変更を加えることができる。例えば、アダプタ本体１１ｂは、図５に示すように、先端側の周壁部１１ｂ3が第１の拡径部１１ｂ4を介して周壁部１１ｂ3よりも長い周壁部１１ｂ5に繋がり、この周壁部１１ｂ5が更に、図４に示すように、第２の拡径部１１ｂ6を介して嵌合部１１ｂ1の内周側１１ｂ13に繋がっているが、本発明に従えば、アダプタ本体１１ｂは、本形態のように径を異ならせることなく、嵌合部１１ｂ1の内周側１１ｂ13をアダプタ本体先端１１ｂ2に直結するストレートな側壁（８ｂ3）で構成することも可能である。このため、シリンダ本体８ｂについては、反対に、本形態のように、シリンダ本体先端８ｂ2に直結するストレートな側壁で構成するのではなく、本形態に係るアダプタ本体１１ｂの如く、径の異なるものとすることができる。
【産業上の利用可能性】
【００４２】
本発明は、外容器の内側に配置された内容器の口部に、内容器の充填空間に通じるアダプタを設け、このアダプタに、キャップに固定されたポンプユニットのシリンダを収納することで、内容器に充填された内容物をポンプ操作によって噴射可能なポンプ付き二重容器であれば、様々なものに採用することができる。また、内容物についても、液体石鹸、シャンプー、リンス、化粧料等、液状物であればこれを問わない。
【符号の説明】
【００４３】
１    ポンプ付き二重ボトル
２    外容器
３    内容器（デラミネーション容器）
４    内層体
５    外層体
７    ポンプユニット
８    ポンプシリンダ
８ａ  吸入筒
８ｂ  シリンダ本体
８ｂ2 シリンダ本体先端
８ｆ1 吸入筒外周面
９    ポンプフランジ
１０    押圧ヘッド
１１    アダプタ
１１ａ  筒状部
１１ｂ  アダプタ本体
１１ｂ1 アダプタ嵌合部
１１ｂ2 アダプタ本体先端
１１ｆ1 筒状部内周面
１２  吸入パイプ
１３  吸入フィルタ
１４  オーバーキャップ
【図１】
0005647494.tif 000002
【図２】
0005647494.tif 000003
【図３】
0005647494.tif 000004
【図４】
0005647494.tif 000005
【図５】
0005647494.tif 000006